(57)【要約】【課題】開閉装置の端子部への工具などの侵入をより確実に防ぐことができる端子カバーを得ること。【解決手段】端子カバー２０は、開閉装置１０に設けられて電線５０が接続される端子取付け部を覆い、電線５０を通過させる開口部２１ｄが形成されたカバー本体２１と、開口部２１ｄと電線５０との隙間を閉塞する硬質樹脂製のシャッター部２２と、を備える。【選択図】図１
2020161381.tif 000002
【特許請求の範囲】
【請求項１】
開閉装置に設けられて電線が接続される端子取付け部を覆い、前記電線を通過させる開口部が形成されたカバー本体と、
前記開口部と前記電線との隙間を閉塞する硬質樹脂製のシャッター部と、を備えることを特徴とする端子カバー。
【請求項２】
前記シャッター部は、前記カバー本体に回転可能に支持されることを特徴とする請求項１に記載の端子カバー。
【請求項３】
前記シャッター部のうち、前記電線と対向する辺には、前記電線から離れる方向に凹ませて形成された切欠きが設けられており、
前記切欠きは、前記電線から離れる方向に進むほど間隔が狭くなる形状であることを特徴とする請求項１または２に記載の端子カバー。
【請求項４】
請求項１から３のいずれか１つに記載の端子カバーと、
前記端子カバーによって前記端子取付け部が覆われた前記開閉装置と、を備え、
前記開閉装置は、前記開口部を通過する電線の延びる方向と平行であって前記端子取付け部が設けられた端子部設置面を有し、
前記端子カバーは、前記端子部設置面と対向する対向壁と、前記対向壁から前記端子部設置面に向けて延びて、前記電線の両側を覆う一対の側壁と、前記対向壁と一対の前記側壁とに囲まれた領域を閉塞する端面と、を有し、
前記開口部は、前記端面に形成されて、前記端面のうち前記対向壁側と反対側となる１辺から前記対向壁に向けて凹ませた凹部であり、
前記シャッター部は、前記開口部を通過する前記電線の延びる方向と垂直かつ前記対向壁と平行な回転軸を中心に回転可能に前記カバー本体に支持されることを特徴とする開閉装置ユニット。
【発明の詳細な説明】
【技術分野】
【０００１】
本発明は、電線が接続される開閉装置の端子部を覆う端子カバーおよび開閉装置ユニットに関する。
【背景技術】
【０００２】
従来、開閉装置の端子部を覆う端子カバーが知られている。開閉装置の端子部には、電線の端部に設けられた端子が接続される。端子カバーは、電線が接続された状態の端子部を覆う。端子カバーには、電線を通過させる開口が形成されている。開閉装置の端子部には、様々な太さの電線が接続される可能性がある。端子カバーの開口は、電線との間に隙間が形成される大きさで形成されている。
【０００３】
端子カバーの開口と電線の隙間から、工具または指などが侵入して端子部に触れるのを防ぐために、特許文献１には、可撓性を有する軟質樹脂製の保護カバー片を端子カバーの開口に設けた構成が開示されている。
【先行技術文献】
【特許文献】
【０００４】
【特許文献１】特開２０１２−７９５８６号公報
【発明の概要】
【発明が解決しようとする課題】
【０００５】
しかしながら、可撓性を有する軟質樹脂製の保護カバー片は、電線に押し退けられて変形するため、電線の側方では開口との間に隙間が残り、工具などの侵入を防げない場合がある。また、可撓性を有する軟質樹脂製の保護カバー片は、力が加わると変形しやすいため、隙間から侵入する工具などに押されて変形することで、工具などの侵入を防ぎきれない場合がある。
【０００６】
本発明は、上記に鑑みてなされたものであって、開閉装置の端子部への工具などの侵入をより確実に防ぐことができる端子カバーを得ることを目的とする。
【課題を解決するための手段】
【０００７】
上述した課題を解決し、目的を達成するために、本発明の端子カバーは、開閉装置に設けられて電線が接続される端子取付け部を覆い、電線を通過させる開口部が形成されたカバー本体と、開口部と電線との隙間を閉塞する硬質樹脂製のシャッター部と、を備える。
【発明の効果】
【０００８】
本発明によれば、開閉装置の端子部への工具などの侵入をより確実に防ぐことができる端子カバーを得ることができるという効果を奏する。
【図面の簡単な説明】
【０００９】
【図１】本発明の実施の形態１にかかる開閉装置ユニットの斜視図
【図２】実施の形態１における開閉装置の斜視図
【図３】実施の形態１における開閉装置の平面図
【図４】図３に示すＩＶ−ＩＶ線に沿って切断した断面図
【図５】実施の形態１にかかる開閉装置ユニットの斜視図であって、一方の端子カバーを取り外した状態を示す図
【図６】実施の形態１にかかる端子カバーの斜視図
【図７】実施の形態１におけるカバー本体の斜視図
【図８】図７に示すカバー本体を裏側から見た斜視図
【図９】図８に示すＡ部の拡大図
【図１０】実施の形態１におけるシャッター部の正面図
【図１１】実施の形態１におけるシャッター部の斜視図
【図１２】実施の形態１にかかる端子カバーの正面図
【図１３】図１２に示すＸＩＩＩ−ＸＩＩＩ線に沿って切断した断面図
【発明を実施するための形態】
【００１０】
以下に、本発明の実施の形態にかかる端子カバーおよび開閉装置ユニットを図面に基づいて詳細に説明する。なお、この実施の形態によりこの発明が限定されるものではない。
【００１１】
実施の形態１．
図１は、本発明の実施の形態１にかかる開閉装置ユニットの斜視図である。開閉装置ユニット３０は、開閉装置１０と、端子カバー２０と、を備える。
【００１２】
図２は、実施の形態１における開閉装置の斜視図である。図３は、実施の形態１における開閉装置の平面図である。図４は、図３に示すＩＶ−ＩＶ線に沿って切断した断面図である。開閉装置１０は、電線５０を接続するための端子部１１が設けられている。開閉装置１０は、直方体形状である。図３に示す平面視において、端子部１１は開閉装置１０の一辺側と、その反対側となる他片側にそれぞれ複数並べて設けられている。
【００１３】
端子部１１には、端子取付け部１１ａが設置される端子部設置面１１ｃが設けられている。端子部１１同士の間には極間仕切り壁１１ｂが形成されている。端子取付け部１１ａには、ねじ３１を用いて電線５０が接続される。より具体的には、電線５０の先端に取り付けられた端子５０ａが、端子取付け部１１ａにねじ３１を用いて固定される。なお、端子部設置面１１ｃは、電線５０の延びる方向である矢印Ｘに示す方向と平行な面である。
【００１４】
開閉装置１０の主面１０ａには、開閉操作部１２が設けられている。開閉操作部１２を操作することで、開閉装置１０の一辺側の端子部１１に接続された電線５０と、他辺側に接続された電線５０とを電気的に接続させたり、電気的接続を切り離したりすることができる。また、開閉装置１０では、開閉装置１０の一辺側の端子部１１に接続された電線５０と、他辺側に接続された電線５０との間に過電流が流れた場合にも、電気的接続の切り離しが行われる。
【００１５】
図５は、実施の形態１にかかる開閉装置ユニットの斜視図であって、一方の端子カバーを取り外した状態を示す図である。図６は、実施の形態１にかかる端子カバーの斜視図である。端子カバー２０は、カバー本体２１と、シャッター部２２とを備える。端子カバー２０は、端子取付け部１１ａに電線５０が接続された状態で、端子５０ａおよび端子取付け部１１ａが外部に露出しないように、端子部１１を覆う。
【００１６】
図７は、実施の形態１におけるカバー本体の斜視図である。図８は、図７に示すカバー本体を裏側から見た斜視図である。カバー本体２１は、硬質樹脂で形成されている。硬質樹脂は、例えばＡＢＳ樹脂(アクリロニトリルブタジエンスチレン樹脂)である。
【００１７】
カバー本体２１は、対向壁２１ａと外側壁２１ｂと異極間隔壁２１ｃとが一体成形されている。対向壁２１ａは、開閉装置１０の端子部設置面１１ｃと平行である。外側壁２１ｂと異極間隔壁２１ｃは、対向壁２１ａから端子部設置面１１ｃに向けて延びて、電線５０の両側を覆う側壁である。
【００１８】
図９は、図８に示すＡ部の拡大図である。外側壁２１ｂおよび異極間隔壁２１ｃには係合部２１ｆが形成されている。係合部２１ｆは、外側壁２１ｂと異極間隔壁２１ｃとが対向する面、または異極間隔壁２１ｃ同士が対向する面に形成された凹みである。係合部２１ｆには、シャッター部２２に形成された突起が嵌まる。なお、係合部２１ｆを突起にして、シャッター部２２に形成された凹部に嵌るように構成してもよい。外側壁２１ｂおよび異極間隔壁２１ｃには、カバー本体２１の成形時に係合部２１ｆを成形するために用いられるピンを、成形後に抜くための溝２１ｅが形成されている。
【００１９】
カバー本体２１には、対向壁２１ａと外側壁２１ｂと異極間隔壁２１ｃとに囲まれた領域または、対向壁２１ａと一対の異極間隔壁２１ｃとに囲まれた領域を塞ぐ端面２１ｇが設けられている。
【００２０】
端面２１ｇには、開口部である出線口２１ｄが形成されている。端子取付け部１１ａに接続された電線５０は、出線口２１ｄを通過する。出線口２１ｄは、端面２１ｇのうち対向壁２１ａ側と反対側となる１辺２１ｈから対向壁２１ａに向けて凹ませた凹部である。出線口２１ｄのこの形状によって、１辺２１ｈ側から端子カバー２０を開閉装置１０に取り付ければ、カバー本体２１と電線５０とが干渉しないようにすることができる。
【００２１】
図１０は、実施の形態１におけるシャッター部の正面図である。図１１は、実施の形態１におけるシャッター部の斜視図である。シャッター部２２は、硬質樹脂で形成されている。硬質樹脂は、例えばＡＢＳ樹脂である。
【００２２】
シャッター部２２は、工具および指などの端子部１１への侵入を防ぐ前面２２ａを備える。前面２２ａのうち電線５０と対向する辺である対向辺２２ｄには、電線５０から離れる方向に凹ませて形成された切り欠き２２ｂが設けられている。切り欠き２２ｂは、電線５０から離れる方向に進むほど間隔が狭くなる形状となっている。シャッター部２２には、カバー本体２１の係合部２１ｆに差し込まれる突起２２ｃが形成されている。
【００２３】
図１２は、実施の形態１にかかる端子カバーの正面図である。図１３は、図１２に示すＸＩＩＩ−ＸＩＩＩ線に沿って切断した断面図である。シャッター部２２の突起２２ｃをカバー本体２１の係合部２１ｆに差し込むことで、図１２および図１３に示すように、シャッター部２２が回転軸３２を中心に回転可能に支持される。回転軸３２は、出線口２１ｄを通過する電線５０の延びる方向と垂直かつ対向壁２１ａと平行な軸となる。
【００２４】
以上説明した開閉装置ユニット３０によれば、開閉装置１０の端子部１１を覆うように端子カバー２０を取り付ければ、電線５０の太さに応じてシャッター部２２が回転して、出線口２１ｄと電線５０との隙間が塞がれる。特に電線５０に対して対向壁２１ａ側となる隙間が塞がれる。また、シャッター部２２に切り欠き２２ｂが形成されていることで、電線５０に対して、外側壁２１ｂ側となる隙間および異極間隔壁２１ｃ側となる隙間が塞がれる。なお、シャッター部２２は、自重によって電線５０に接する方向に回転する。このように、出線口２１ｄと電線５０との間に形成される隙間のほとんどが塞がれるため、工具などの端子取付け部１１ａの侵入を防ぐことができる。また、開閉装置１０に端子カバー２０を取り付けるだけで、電線５０の太さに応じてシャッター部２２が回転して隙間を塞ぐので、端子部１１を覆って隙間を塞ぐ作業の作業性の向上が図られる。
【００２５】
また、シャッター部２２は、硬質樹脂で形成されているため、工具などに押し込まれても変形しにくいため、端子取付け部１１ａへの工具などの侵入をより確実に防ぐことができる。
【００２６】
以上、現時点において、もっとも実践的であり、かつ好ましいと思われる実施形態に関連して本発明を説明したが、開閉装置１０は一例でありこれに限ることはない。電力計の計測機器、配線用遮断器等の配線用の端子がある機器であれば、どのような装置にも適用可能である。
【００２７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２８】
１０  開閉装置、１０ａ  主面、１１  端子部、１１ａ  端子取付け部、１１ｂ  極間仕切り壁、１１ｃ  端子部設置面、１２  開閉操作部、２０  端子カバー、２１  カバー本体、２１ａ  対向壁、２１ｂ  外側壁、２１ｃ  異極間隔壁、２１ｄ  出線口、２１ｅ  溝、２１ｆ  係合部、２１ｇ  端面、２１ｈ  １辺、２２  シャッター部、２２ａ  前面、２２ｂ  切り欠き、２２ｃ  突起、２２ｄ  対向辺、３０  開閉装置ユニット、３１  ねじ、３２  回転軸、５０  電線、５０ａ  端子。
【図１】
2020161381.tif 000003
【図２】
2020161381.tif 000004
【図３】
2020161381.tif 000005
【図４】
2020161381.tif 000006
【図５】
2020161381.tif 000007
【図６】
2020161381.tif 000008
【図７】
2020161381.tif 000009
【図８】
2020161381.tif 000010
【図９】
2020161381.tif 000011
【図１０】
2020161381.tif 000012
【図１１】
2020161381.tif 000013
【図１２】
2020161381.tif 000014
【図１３】
2020161381.tif 000015